(57)【要約】【課題】画像読取部とトレイ排出部とを備える画像形成装置において、設置面積を抑えつつ、画像読取部及びトレイ排出部の２つの装置の機能を利用する際の利便性を向上させることが可能な画像形成装置を提供すること。【解決手段】プリンタ１０は、画像形成部３５を内蔵する本体筐体３１の上面に、トレイ排出部５１と画像読取部７１とを備える。画像読取部７１の載置部７３は、プリンタ本体１５に固定された状態では、原稿台ガラスの原稿を載置する載置面７７が、上下方向及び左右方向に沿うような状態で固定される。また、トレイ排出部５１が有する全てのトレイ５５の位置は、上下方向において、画像読取部７１の上下方向の両端部の間に収まる位置となっている。このため、トレイ排出部５１と画像読取部７１との高低差がなくなっている。【選択図】図３
2016071239.tif 000002
【特許請求の範囲】
【請求項１】
装置筐体と、
前記装置筐体内に設けられ、画像をシートに形成する画像形成部と、
前記装置筐体の上面よりも上方に設けられ、前記画像形成部により画像が形成されるシートが排出される複数のトレイを有するトレイ排出部と、
原稿が載置される載置部と、原稿に向けて光を照射する発光素子と、を有し、原稿の画像を読み取る画像読取部であって、前記装置筐体の上面に設けられ、原稿が載置される前記載置部の載置面が上方に向かう状態で保持される画像読取部と、を備え、
前記トレイ排出部が有する複数のトレイのうち少なくとも最下段のトレイは、当該画像読取部の上端部よりも下方に位置することを特徴とする画像形成装置。
【請求項２】
前記載置部は、前記装置筐体に固定され、
前記載置部の載置面は、前記トレイ排出部とは反対側を向いていることを特徴とする請求項１に記載の画像形成装置。
【請求項３】
前記画像読取部は、
前記載置部の載置面に対して開閉するカバーと、
前記載置部の載置面に沿って前記発光素子を移動させるキャリッジと、を有することを特徴とする請求項２に記載の画像形成装置。
【請求項４】
前記画像読取部は、前記カバーにおける、前記載置部の載置面を覆う面とは反対側の面に設けられる、原稿の画像を読み取る設定を行うための操作部を有することを特徴とする請求項３に記載の画像形成装置。
【請求項５】
前記カバーは、下端部を中心に回動して前記載置部の載置面に対して開閉することを特徴とする請求項３又は請求項４に記載の画像形成装置。
【請求項６】
前記載置部は、前記装置筐体の上面に固定され、
前記トレイ排出部は、前記載置部に固定されることを特徴とする請求項１乃至請求項５のいずれかに記載の画像形成装置。
【請求項７】
前記画像読取部は、前記装置筐体の上部に固定される固定部材を有し、
前記載置部は、前記載置面が上方に向かう第１状態から、前記載置面が当該第１状態の当該載置面に直交する方向に向かう第２状態まで回動可能に、前記固定部材に取り付けられており、
前記載置部の載置面は、前記第１状態において、前記トレイ排出部と前記発光素子に挟まれた位置で保持され、前記第２状態において、前記発光素子よりも上方の位置で保持されることを特徴とする請求項１に記載の画像形成装置。
【請求項８】
前記画像読取部は、
前記第１状態において前記トレイ排出部と対向する面に設けられる、原稿の画像を読み取る設定を行うための操作部と、
前記第１状態において前記トレイ排出部と対向する面とは反対側の面に設けられる、前記画像形成部による印刷状態を表示する表示部と、を有することを特徴とする請求項７に記載の画像形成装置。
【請求項９】
前記載置部の回動状態に応じた検出信号を出力する第１センサと、
前記第１センサから出力される検出信号が入力される制御装置と、を備え、
前記制御装置は、
前記検出信号に基づいて、前記画像読取部が前記第１状態にあるときに前記操作部で消費される電力を、前記画像読取部が前記第２状態にあるときに前記操作部で消費される電力よりも抑制する抑制処理を実行することを特徴とする請求項８に記載の画像形成装置。
【請求項１０】
前記トレイ排出部へシートを搬送する搬送経路とは異なる搬送経路を介して、前記装置筐体の上面にシートを排出する排出部と、
前記装置筐体の上面に設けられ、前記装置筐体の上面に対して離間した状態で前記載置部を保持する保持部と、を備えることを特徴とする請求項１乃至請求項９のいずれかに記載の画像形成装置。
【請求項１１】
前記トレイ排出部の複数のトレイに排出されるシートに応じた検出信号を出力する第２センサと、
前記第２センサから出力される検出信号に応じた情報を前記装置筐体外に報知する報知部と、を備えることを特徴とする請求項１乃至請求項１０のいずれかに記載の画像形成装置。
【請求項１２】
前記複数のトレイは、排出されたシートが上面に載置される板状に形成され、板状の端部から内側に向かって切り欠いて形成され、載置されたシートの下面の一部を露出する切り欠き部を有することを特徴とする請求項１乃至請求項１１のいずれかに記載の画像形成装置。
【発明の詳細な説明】
【技術分野】
【０００１】
本発明は、画像読取部とトレイ排出部とを備えた画像形成装置に関する。
【背景技術】
【０００２】
従来、コピー装置やファクシミリ装置などの、原稿の画像を読み取る画像読取部を備えた画像形成装置には、印刷したシート（用紙やＯＨＰシート等）を複数のトレイに振り分けて排出するトレイ排出部を備えるものがある（特許文献１など）。特許文献１に開示された画像形成装置には、読取部で読み取った画像をシートに印刷する画像形成部が内蔵された装置筐体の上方に、画像読取部とトレイ排出部（文献では、「排出部」）とが設けられている。また、画像形成装置には、装置筐体の上面と、トレイ排出部の下端部との上下方向の間に空間が設けられており、この空間に画像読取部の一部が横から入り込んだ状態で設置されている。
【先行技術文献】
【特許文献】
【０００３】
【特許文献１】特開２００３−０８１５１３号公報
【発明の概要】
【発明が解決しようとする課題】
【０００４】
上記したように、この種の画像形成装置では、画像読取部とトレイ排出部との両方の機能を確保するとともに、画像読取部及びトレイ排出部の２つの装置を上下方向に並べて省スペース化が図られていた。つまり、２つの装置の設置場所には、高低差を設けていた。このため、例えば、使用者にとって、トレイ排出部の位置が高くなりすぎて排出されたシートを取り出す動作が煩わしくなってしまう。あるいは、画像読取部の位置が低くなりすぎて画像の読み取りを行うためにシートをセットする動作が煩わしくなってしまうことが問題となる。
【０００５】
本願に開示される技術は、上記の課題に鑑み提案されたものである。画像読取部とトレイ排出部とを備える画像形成装置において、設置面積を抑えつつ、画像読取部及びトレイ排出部の２つの装置の機能を利用する際の利便性を向上させることが可能な画像形成装置を提供することを目的とする。
【課題を解決するための手段】
【０００６】
上記課題を解決するために、本発明の画像形成装置は、装置筐体と、装置筐体内に設けられ、画像をシートに形成する画像形成部と、装置筐体の上面よりも上方に設けられ、画像形成部により画像が形成されるシートが排出される複数のトレイを有するトレイ排出部と、原稿が載置される載置部と、原稿に向けて光を照射する発光素子と、を有し、原稿の画像を読み取る画像読取部であって、装置筐体の上面に設けられ、原稿が載置される載置部の載置面が上方に向かう状態で保持される画像読取部と、を備え、トレイ排出部が有する複数のトレイのうち少なくとも最下段のトレイは、当該画像読取部の上端部よりも下方に位置することを特徴とする。
【０００７】
当該画像形成装置では、画像形成部により画像を形成されるシートを排出するための複数のトレイを有するトレイ排出部を備える。トレイ排出部は、画像形成部を内部に設ける装置筐体の上面よりも上方に、複数のトレイを有する。また、画像形成装置は、原稿の画像を読み取る画像読取部を備える。画像読取部は、装置筐体の上面に設けられ、原稿を載置する載置部の載置面が上方に向かう状態で保持される。そして、トレイ排出部と、画像読取部との位置関係は、トレイ排出部が有する複数のトレイのうち、少なくとも最下段のトレイが、画像読取部の上端部よりも下方に位置する関係となる。このため、当該画像形成装置では、画像読取部とトレイ排出部との高低差がなくなるため、画像読取部を使用して画像を読み取る場合や、トレイ排出部の各トレイに振り分けられたシートを取り出す場合など、各装置の機能を利用する際の利便性が向上される。また、画像読取部は、原稿を載置する載置面が、上方に向かう状態で保持される。例えば、フラッドベッド方式のスキャナ装置では、載置面に原稿を広げた状態で画像を読み取る構造であるため、載置面に平行な方向に装置が大型化する傾向にある。これに対し、当該画像形成装置では、原稿を載置する載置面が上方に向かう状態、例えば、載置面に平行な方向に長い立方体形状の装置が縦置きとなる状態で、画像読取部が保持される。これにより、画像読取部の設置面積、ひいては、画像形成装置全体の設置面積を小さくすることが可能となる。従って、当該画像形成装置では、設置面積を抑えつつ、２つの機能を有効に利用することが可能となる。
【０００８】
また、本発明の画像形成装置において、載置部は、装置筐体に固定され、載置部の載置面は、トレイ排出部とは反対側を向いている構成としてもよい。
【０００９】
当該画像形成装置では、装置筐体に固定された載置部の載置面が、トレイ排出部とは反対側を向いた状態となる。例えば、載置面が、トレイ排出部側を向いた状態で、発光素子よりもトレイ排出部側に配置された場合には、発光素子を設けた部材と、トレイ排出部との間に載置面が位置することとなる。ここでいう、発光素子を設けた部材とは、例えば、発光素子を備える読み取りヘッドや読み取りヘッドを移動させるためのキャリッジなどが内蔵された筐体である。この構成では、載置面に原稿をセットする場合に、発光素子を設けた部材やトレイ排出部の位置を一時的に変更するなどの必要が生じる。これに対し、載置面がトレイ排出部とは反対側を向いた状態の当該画像形成装置では、載置面を覆うための開閉可能なカバーなどを設けることで、上記した構成に比べて原稿のセットが容易となる。
【００１０】
また、本発明の画像形成装置において、画像読取部は、載置部の載置面に対して開閉するカバーと、載置部の載置面に沿って発光素子を移動させるキャリッジと、を有する構成としてもよい。
【００１１】
当該画像形成装置では、載置部の載置面に対して開閉するカバーが設けられる。また、画像読取部は、載置部の載置面に沿って発光素子を移動させるキャリッジを有するフラッドベッド方式のスキャナ装置である。このような構成では、カバーが発光素子よりもトレイ排出部側に位置する構成に比べて、カバーの開閉が容易となり、原稿を載置部にセットし易くなる。
【００１２】
また、本発明の画像形成装置において、画像読取部は、カバーにおける、載置部の載置面を覆う面とは反対側の面に設けられる、原稿の画像を読み取る設定を行うための操作部を有する構成としてもよい。
【００１３】
当該画像形成装置では、カバーにおける載置部の載置面を覆う面とは反対側の面には、操作部が設けられる。これにより、使用者は、カバーを閉じた状態において、操作部を操作して原稿の画像を読み取る設定を行うことが可能となる。例えば、使用者は、原稿を載置部にセットした後、カバーを閉じた状態で読み取りの設定を行うことができる。従って、当該画像形成装置では、使用者の利便性をより向上することが可能となる。
【００１４】
また、本発明の画像形成装置において、カバーは、下端部を中心に回動して載置部の載置面に対して開閉する構成としてもよい。
【００１５】
当該画像形成装置のカバーは、下端部を中心に回動して載置部の載置面に対して開閉する。これにより、使用者は、カバーを回動させて開けた状態で載置部に原稿をセッティングし、セット後にカバーを回動させて閉じた状態で画像の読取処理を実行することができ、原稿のセッティングが容易となる。
【００１６】
また、本発明の画像形成装置において、載置部は、装置筐体の上面に固定され、トレイ排出部は、載置部に固定される構成としてもよい。
【００１７】
当該画像形成装置では、装置筐体の上面に固定された載置部によってトレイ排出部を安定化することが可能となる。
【００１８】
また、本発明の画像形成装置において、画像読取部は、装置筐体の上部に固定される固定部材を有し、載置部は、載置面が上方に向かう第１状態から、載置面が当該第１状態の当該載置面に直交する方向に向かう第２状態まで回動可能に、固定部材に取り付けられており、載置部の載置面は、第１状態において、トレイ排出部と発光素子に挟まれた位置で保持され、第２状態において、発光素子よりも上方の位置で保持される構成としてもよい。
【００１９】
当該画像形成装置では、装置筐体の上面に固定される固定部材を有する。載置部は、載置面が上方に向かう第１状態から、第１状態の方向に対して直交する第２状態まで回動可能に、固定部材に取り付けられる。載置面は、第１状態において、トレイ排出部と発光素子に挟まれた位置で保持される。また、載置面は、第２状態において、発光素子よりも上方の位置で保持される。このような構成では、第１状態から第２状態に載置部の向きを変更させることによって、トレイ排出部が障害とならずに原稿を載置部に載置し易くなり、原稿をセッティングする際の利便性が向上する。
【００２０】
また、本発明の画像形成装置において、画像読取部は、第１状態においてトレイ排出部と対向する面に設けられる、原稿の画像を読み取る設定を行うための操作部と、第１状態においてトレイ排出部と対向する面とは反対側の面に設けられる、画像形成部による印刷状態を表示する表示部と、を有する構成としてもよい。
【００２１】
当該画像形成装置の画像読取部は、画像形成部による印刷状態を表示する表示部を、第１状態においてトレイ排出部と対向する面とは反対側の面に有する。これにより、第１状態では、表示部を設けた面は、トレイ排出部によって隠れない面となる。このため、使用者は、表示部に表示された内容を容易に確認でき、適切な対応（ＪＡＭ処理の確認や印刷状態の確認など）を行うことができる。また、画像読取部は、原稿の画像を読み取る設定を行うための操作部を、第１状態においてトレイ排出部と対向する面に有する。載置部の向きが変更された第２状態になると、画像読取部のトレイ排出部と対向する面は、上方に向かう面となる。このため、使用者は、第２状態において、原稿の読み取り動作を行う際に、上方を向いた操作部を操作して読み取りの設定を行うことが可能となる。つまり、当該画像形成装置では、第１状態及び第２状態の各状態に応じて表示部及び操作部を使い分けることができ、使用者に対する利便性を向上させることが可能となる。
【００２２】
また、本発明の画像形成装置において、載置部の回動状態に応じた検出信号を出力する第１センサと、第１センサから出力される検出信号が入力される制御装置と、を備え、制御装置は、検出信号に基づいて、画像読取部が第１状態にあるときに操作部で消費される電力を、画像読取部が第２状態にあるときに操作部で消費される電力よりも抑制する抑制処理を実行する構成としてもよい。
【００２３】
また、当該画像形成装置では、載置部の回動状態に応じた検出信号を出力する第１センサを備える。制御装置は、検出信号に基づいて、第１状態における操作部の消費電力を、第２状態における操作部の消費電力よりも抑制する抑制処理を実行する。より具体的には、例えば、操作部を使用しない第１状態では操作部のディスプレイの表示を消す抑制処理を実行する。これにより、第１状態における操作部の消費電力は、操作部による操作を行う第２状態に比べて抑制される。
【００２４】
また、本発明の画像形成装置において、トレイ排出部へシートを搬送する搬送経路とは異なる搬送経路を介して、装置筐体の上面にシートを排出する排出部と、装置筐体の上面に設けられ、装置筐体の上面に対して離間した状態で載置部を保持する保持部と、を備える構成としてもよい。
【００２５】
当該画像形成装置では、トレイ排出部へシートを搬送する搬送経路とは異なる搬送経路を介して、装置筐体の上面にシートを排出する排出部を備える。また、装置筐体の上面には、保持部が設けられる。保持部は、装置筐体の上面に対して離間した状態で載置部を保持する。このため、載置部の下端部と装置筐体の上面との間に隙間を設けることが可能となる。使用者は、例えば、この隙間に手を入れて装置筐体の上面の排出部からシートを取り出すことが可能となる。
【００２６】
また、本発明の画像形成装置において、トレイ排出部の複数のトレイに排出されるシートに応じた検出信号を出力する第２センサと、第２センサから出力される検出信号に応じた情報を装置筐体外に報知する報知部と、を備える構成としてもよい。
【００２７】
当該画像形成装置では、トレイ排出部のトレイに排出されるシートの枚数等に応じた検出信号を出力する第２センサを備える。また、報知部は、第２センサから出力される検出信号に応じた情報を装置筐体外に報知する。トレイ排出部と画像読取部とが同じ高さになると、使用者が当該画像形成装置を見る方向によっては、トレイ排出部のトレイの状況が使用者にとって把握し難くなる虞がある。このため、当該画像形成装置では、報知部により使用者にトレイに溜まったシートの状況を報知し、利便性を向上させることが可能となる。
【００２８】
また、本発明の画像形成装置において、複数のトレイは、排出されたシートが上面に載置される板状に形成され、板状の端部から内側に向かって切り欠いて形成され、載置されたシートの下面の一部が露出する切り欠き部を有する構成としてもよい。
【００２９】
当該画像形成装置では、トレイ排出部のトレイは、板状に形成され、その上面には排出されたシートが載置される。トレイは、板状の端部から内側に向かって切り欠いて形成され、載置されたシートの下面の一部を露出する切り欠き部を有する。切り欠き部は、半円形状や矩形状でもよく、１つのトレイに１個又は複数個設けてもよい。トレイ排出部と画像読取部とが同じ高さになると、使用者が当該画像形成装置を見る方向によっては、トレイ排出部のトレイからシートを取り出し難くなる虞がある。このため、当該画像形成装置では、使用者が手でトレイに排出されたシートを取り出す際に、切り欠き部に指を入れてシートの両面を指で挟むことにより、シートを取り出し易くなる。
【発明の効果】
【００３０】
本発明に記載の画像形成装置では、画像読取部とトレイ排出部とを備える構成において、設置面積を抑えつつ、画像読取部及びトレイ排出部の２つの装置の機能を利用する際の利便性を向上させることが可能となる。
【図面の簡単な説明】
【００３１】
【図１】第１実施形態のプリンタを前方側から見た斜視図である。
【図２】プリンタを左側から見た場合の断面構造を概略的に示す模式図である。
【図３】画像読取部のカバーが開閉する状態を示す模式図である。
【図４】プリンタの電気的構成の一部を示すブロック図である。
【図５】第２実施形態の画像読取部が、第１状態から第２状態に回動する状態、及び回動した後にカバーが開閉する状態を示す模式図である。
【図６】第３実施形態のプリンタを前方側から見た斜視図である。
【図７】第３実施形態のプリンタを左側から見た場合の断面構造を概略的に示す模式図である。
【図８】別例のプリンタを左側から見た場合の断面構造の一部を、概略的に示す模式図である。
【発明を実施するための形態】
【００３２】
（第１実施形態）
以下、本願の一実施形態について図面を参照して説明する。図１は、本願に係る画像形成装置の第１実施形態であるプリンタ１０の斜視図である。図２は、プリンタ１０の断面構造を概略的に示した模式図である。図１及び図２に示すように、プリンタ１０は、略直方体形状をなし、シート（用紙やＯＨＰシート等）１３に画像を印刷するプリンタ本体１５と、３つのオプション給紙機器１７とを備えている。以下の説明では、図１に示すように、プリンタ本体１５及びオプション給紙機器１７が並ぶ方向であってプリンタ１０を設置する設置面に直交する方向を上下方向、上下方向に直交しオプション給紙機器１７が移動可能な方向を前後方向、上下方向及び前後方向に直交する方向を左右方向と規定し説明する。例えば、図１に示すようにプリンタ１０を前方から見た場合に、左手に来る側をプリンタ１０の左側と規定する。図２は、左側から見た断面構造を示している。
【００３３】
複数のオプション給紙機器１７は、プリンタ本体１５の下方に設けられており、上下方向に積み重ねて設置されている。オプション給紙機器１７は、直方体形状のオプション筐体２１内にピックアップローラ２３と、搬送ローラ２５とを有する。ピックアップローラ２３は、オプション筐体２１の給紙トレイ２７上に置かれた複数のシート１３から１枚ずつ取り出して用紙搬送路２９へ送り出す。複数のオプション給紙機器１７には、例えば、異なるサイズのシート１３がセットされている。用紙搬送路２９は、オプション筐体２１の前方側において、オプション筐体２１を上下方向に向かって貫通して形成されている。搬送ローラ２５は、用紙搬送路２９の上端部に設けられ、ピックアップローラ２３から用紙搬送路２９に送り出されたシート１３を上方の装置（他のオプション給紙機器１７やプリンタ本体１５）に送り出す。また、各オプション給紙機器１７は、前方側に引き出し可能に構成されており、引き出した状態で上部の開口から給紙トレイ２７にシート１３を補充することが可能となっている。
【００３４】
プリンタ本体１５は、略直方体形状の本体筐体３１内に搬送部３３、画像形成部３５などを有する。本体筐体３１内には、下方のオプション給紙機器１７から供給されるシート１３が、搬送部３３及び画像形成部３５を通って、本体筐体３１の上面に設けられた本体トレイ３８へ導かれるように，略Ｓ字形状の用紙搬送路３７が設けられている。用紙搬送路３７は、本体筐体３１の前方側の底部において、オプション給紙機器１７の用紙搬送路２９と連通しており、オプション給紙機器１７からシート１３が供給される。
【００３５】
搬送部３３は、用紙搬送路２９から用紙搬送路３７に供給されたシート１３を搬送する装置であり、給紙ローラ４１、転写ローラ４５、定着部４７、排出ローラ４８などを有する。給紙ローラ４１は、オプション給紙機器１７から用紙搬送路３７に供給されたシート１３を画像形成部３５に送り出す。画像形成部３５は、単色、あるいは複数色のトナーカートリッジを備え、当該ナーカートリッジに収容されたトナーを感光体ドラム４９に供給する。感光体ドラム４９は、近傍に設けられた帯電器（図示略）により表面が一様に帯電させられる。また、感光体ドラム４９は、本体筐体３１の上部に設けられた露光部４３からのレーザ光が照射されることによって、静電潜像が形成される。画像形成部３５のトナーカートリッジは、収容しているトナーを、感光体ドラム４９の表面に形成された静電潜像に供給しトナー像を形成する。
【００３６】
転写ローラ４５は、用紙搬送路３７に搬送されるシート１３を間に挟むようにして、感光体ドラム４９と上下方向において対向する位置に設けられている。転写ローラ４５は、転写バイアスが供給されることによって、感光体ドラム４９の表面に担持されたトナー像をシート１３に転写する。定着部４７は、転写ローラ４５よりも用紙搬送路３７の下流側に設けられている。定着部４７は、シート１３に転写されたトナーを加熱しつつ押圧して加熱溶融させる。定着部４７は、シート１３にトナー像を定着させつつ、シート１３を搬送する。
【００３７】
また、本体筐体３１の上面には、前後方向において互いに対向する位置にトレイ排出部５１と、画像読取部７１とが設けられている。トレイ排出部５１は、本体筐体３１の上面において後部側の端部に固定されており、トレイ本体部５３、複数（本実施形態では３つ）のトレイ５５などを有する。トレイ本体部５３は、前後方向の幅が狭い略直方体形状をなし、左右方向の長さが本体筐体３１の長さと一致している。また、トレイ本体部５３の後方側の面は、本体筐体３１の後方側の面に平行な方向に沿って形成されており、２つの面が面一となっている。トレイ本体部５３内には、上方に向かってシート１３を搬送する用紙搬送路５７が設けられている。
【００３８】
用紙搬送路３７には、定着部４７よりも下流側において上方に向かって屈曲し、屈曲した部分よりも下流側に排出ローラ４８が設けられている。また、本体筐体３１の上面には、画像が形成されたシート１３を排出して積層状態で収容する本体トレイ３８が設けられている。用紙搬送路３７は、排出ローラ４８を設けた位置よりも下流側において、本体トレイ３８に向かう搬送路と、用紙搬送路５７に向かう搬送路とに分岐している。用紙搬送路３７の本体トレイ３８に向かう搬送路には、排出ローラ５０が設けられている。排出ローラ４８及び排出ローラ５０は、定着部４７から送り出されたシート１３を、本体トレイ３８に排出する。
【００３９】
トレイ本体部５３の用紙搬送路５７は、トレイ排出部５１の底部において、プリンタ本体１５の用紙搬送路３７と連通しており、プリンタ本体１５から画像が形成されたシート１３が供給される。また、用紙搬送路５７の上流側には、排出ローラ５８が設けられており、プリンタ本体１５から供給されたシート１３をトレイ５５のいずれかに排出する。用紙搬送路３７は、分岐する部分にフラッパ３９が取り付けられている。フラッパ３９は、プリンタ本体１５の制御部９１（図４参照）の制御に基づいて動作し、排出ローラ４８から送り出されたシート１３を、本体トレイ３８から排出するか、又はトレイ排出部５１の用紙搬送路５７に送り出すかを切り替える。
【００４０】
３つのトレイ５５の各々は、トレイ本体部５３の前面部分に設けられており、上下方向に沿って所定の間隔ごとに設けられている。トレイ排出部５１は、上下方向に並ぶ３つのトレイ５５のうち、下方側の２つのトレイ５５への排紙口の位置に合わせて合計で２つのフラッパ５９が設けられている。フラッパ５９は、プリンタ本体１５の制御部９１により制御可能に構成されている。フラッパ５９は、制御部９１の制御に基づいて、排出ローラ５８から送り出されたシート１３を、３つのトレイ５５のどれに排出するのかを切り替える。制御部９１は、例えば、印刷ジョブに設定されたトレイに関する情報に基づいて、シート１３を排出するトレイ３８，５５を切り替える。
【００４１】
トレイ５５は、前後方向に延びる板状に形成され、平板部６１と、傾斜部６３とを有する。トレイ５５は、平面が上下方向に向くようにしてトレイ排出部５１の前面部分に固定されている。トレイ５５は、用紙搬送路５７から排出されたシート１３を上面に載置する。平板部６１は、トレイ排出部５１の前面部分に一体的に形成されている。傾斜部６３は、平板部６１の前方側の端部に連続して形成され、後方から前方に向かうに従って上方に向かって傾斜している。
【００４２】
平板部６１の上方には、各トレイ５５上に載置されたシート１３の高さを検出するためのスタックセンサ６５が設けられている。スタックセンサ６５は、上部に設けられた回転軸を中心に回動可能に構成されており、トレイ５５上にシート１３がない状態では、自重でトレイ５５側に回動し下方を向いた状態となる。なお、スタックセンサ６５は、下方に向かって回動するように付勢力を付加するバネなどを備えてもよい。
【００４３】
また、スタックセンサ６５は、用紙搬送路５７からトレイ５５上にシート１３が排出されると、載置されたシート１３の上面に当接しながら押し上げられるようにして上方に向かって回動する。スタックセンサ６５は、トレイ５５上に載置されたシート１３の高さが増加するに従って変化する回転角度を検出し、検出した回転角度を制御部９１（図４参照）に出力する。制御部９１は、スタックセンサ６５から入力される回転角度に基づいて、各トレイ５５に載積されたシート１３の高さ（シート１３の枚数や量）を検出することが可能となっている。
【００４４】
トレイ５５の傾斜部６３には、先端側の部分に切り欠き部６９が設けられている。切り欠き部６９は、傾斜部６３の左右方向の端部から内側に向かって矩形状に切り欠いて形成されおり、傾斜部６３上に積層されたシート１３の下面の一部を露出するようになっている。切り欠き部６９は、傾斜部６３の左右両側にそれぞれ形成されている。この切り欠き部６９は、使用者が手でトレイ５５に溜まったシート１３を取り出す際に、指を入れてシート１３の上下方向の両面を挟み易くするためのものである。
【００４５】
画像読取部７１は、載置部７３、カバー７５などを有している。画像読取部７１は、上下方向において、トレイ排出部５１と同じ高さに設けられている。より具体的には、トレイ排出部５１が有する全てのトレイ５５の位置は、上下方向において、画像読取部７１の上下方向の両端部の間に収まる位置となっている。載置部７３は、前後方向の幅が狭い直方体形状をなしている。載置部７３は、各トレイ５５の傾斜部６３の先端部が、後方側の面に固定されている。また、載置部７３は、下端部がプリンタ本体１５（本体筐体３１）の上面に対して固定されている。載置部７３は、画像を読み取る原稿が置かれる原稿台ガラス（図示略）を有する。載置部７３は、プリンタ本体１５に固定された状態では、原稿台ガラスの原稿を載置する載置面７７が、若干後方側に傾斜しつつ、上下方向及び左右方向に沿うような状態で固定される。
【００４６】
また、載置部７３は、載置面７７に載置された原稿の画像を読み取るための読み取りヘッド７９が内蔵されている。読み取りヘッド７９は、例えば、複数の受光素子が直線状に配列されたリニアイメージセンサ、発光ダイオード等の光源、原稿で反射した光をリニアイメージセンサの各受光素子に結像させるロッドレンズアレイを備え、ＣＩＳ（Contact Image Sensor）方式で原稿を読み取るように構成されている。なお、読み取りヘッド７９は、ＣＩＳ方式に限られず、ＣＣＤ（電荷結合素子）イメージセンサを用いた、所謂、ＣＣＤ方式で原稿を読み取る構成でもよい。また、載置部７３内には、上下方向及び左右方向に向かう走査方向に沿って読み取りヘッド７９を移動させるキャリッジ８１が設けられている。
【００４７】
カバー７５は、載置部７３に対して開閉可能な原稿押え板である。カバー７５には、下端部に左右方向に沿った回動軸８３が設けられている。カバー７５は、図３に示すように、カバー７５を閉じた状態から開いた状態まで、回動軸８３を中心に時計回り方向に回動する。カバー７５は、所定の回転角度まで回動すると、それ以上回転しないようにストッパ（図示略）により回転位置が保持される。
【００４８】
また、カバー７５には、前方側の面に操作パネル８５が取り付けられている。操作パネル８５は、例えば、タッチパネルであり、各種情報を表示するための液晶表示部（ＬＣＤ）を有する。制御部９１（図４参照）は、画像の読み取り設定等を行うための各種ボタンを操作パネル８５の液晶表示部に表示する。使用者は、操作パネル８５を操作して、原稿を読み取る解像度、読み取った画像を出力するファイル形式、あるいは読み取った画像を印刷したシート１３を排出するトレイ３８，５５の選択などの設定を行うことができる。
【００４９】
図４は、プリンタ１０の電気的構成の一部を示した図である。プリンタ１０の制御部９１は、ＣＰＵ９３、ＲＯＭ９５、ＲＡＭ９７等で構成される。ＲＯＭ９５には、制御プログラムや各種のデータなどが記憶されている。ＲＡＭ９７は、ＣＰＵ９３が各種の処理を実行する際の作業用のメモリとして用いられる。制御部９１は、ＲＯＭ９５に記憶されている各種のプログラムをＣＰＵ９３で実行することによって、配線９９を介して接続されているプリンタ１０の各部を制御する。ここで、各部とは、上記したオプション給紙機器１７、搬送部３３、画像形成部３５、トレイ排出部５１、画像読取部７１等である。
【００５０】
上記した構成のプリンタ１０を用いて原稿の読み取りを行う場合には、例えば、使用者は、カバー７５を開いて原稿台ガラスの載置面７７上に原稿をセットする。使用者は、原稿をセットした後にカバー７５を閉じて操作パネル８５を操作し、画像の読み取り設定を行う。例えば、使用者は、読み取った画像を印刷する設定を行う。使用者が操作パネル８５の複写ボタン押すのに応じて、制御部９１は、画像の読み取り動作を開始する。制御部９１は、画像読取部７１のキャリッジ８１を制御して、読み取りヘッド７９を移動させ、順次、主走査方向に沿ったライン状の画像を読み取り、読み取った画素データをＲＡＭ９７に保存する。
【００５１】
また、制御部９１は、使用者が操作パネル８５により設定したサイズのシート１３がセットされたオプション給紙機器１７を制御し、シート１３を用紙搬送路２９に送り出す。搬送部３３は、オプション給紙機器１７から供給されたシート１３を画像形成部３５に送り出す。制御部９１は、ＲＡＭ９７に保存した画素データに基づいて、画像形成部３５によりシート１３に画像を形成する。制御部９１は、プリンタ本体１５のフラッパ３９及びトレイ排出部５１のフラッパ５９等を制御して、使用者が選択したトレイ３８，５５に、画像が形成されたシート１３を排出する。また、制御部９１は、トレイ排出部５１のスタックセンサ６５から出力される検出信号に基づいて、操作パネル８５の液晶表示部に各トレイ５５に溜まっているシート１３の状況を表示する。
【００５２】
因みに、プリンタ１０は、画像形成装置の一例である。本体筐体３１は、装置筐体の一例である。用紙搬送路３７，５７は、搬送路の一例である。本体トレイ３８は、排出部の一例である。スタックセンサ６５は、第２センサの一例である。読み取りヘッド７９は、発光素子を備える装置の一例である。操作パネル８５は、操作部の一例である。制御部９１は、制御装置の一例である。
【００５３】
以上、上記した第１実施形態によれば、以下の効果を奏する。
プリンタ１０は、画像形成部３５が内蔵された本体筐体３１の上面に、トレイ排出部５１と画像読取部７１とが設けられている。画像読取部７１の載置部７３は、プリンタ本体１５に固定された状態では、原稿台ガラスの原稿を載置する載置面７７が、上下方向及び左右方向に沿うような状態で固定される。また、トレイ排出部５１が有する全てのトレイ５５の位置は、上下方向において、画像読取部７１の上下方向の両端部の間に収まる位置となっている。このため、本実施形態のプリンタ１０では、トレイ排出部５１と画像読取部７１との高低差がなくなるため、画像読取部７１を使用して画像を読み取る場合や、トレイ排出部５１の各トレイ５５に振り分けられたシート１３を取り出す場合など、各装置の機能を利用する際の利便性の向上を図れる。また、当該プリンタ１０では、載置面７７が上下方向に沿う状態（画像読取部７１が縦置きの状態）となっている。これにより、画像読取部７１の設置面積、ひいては、プリンタ１０全体の設置面積を小さくすることが可能となる。
【００５４】
また、載置部７３は、下端部がプリンタ本体１５（本体筐体３１）の上面に対して固定されている。載置部７３の載置面７７は、前後方向において、トレイ排出部５１とは反対側の前方側を向いた状態で設けられている。また、載置面７７は、画像を読み取る読取りヘッド７９に対して、トレイ排出部５１とは反対側に設けられている。画像読取部７１は、載置面７７に対して開閉するカバー７５が設けられている。このような構成では、載置面７７（載置部７３）がトレイ排出部５１側（後方側）を向く構成に比べて、カバー７５の開閉が容易となり、原稿を載置部７３にセットし易くなる。
【００５５】
また、画像読取部７１のカバー７５は、前後方向において、載置面７７を覆う面とは反対側の面に操作パネル８５を備える。これにより、使用者は、原稿を載置部７３にセットした後、カバー７５を閉じた状態で原稿の読み取りの設定を行うことができる。
【００５６】
また、カバー７５は、下端部に設けられた回動軸８３を中心に回動して載置部７３に対して開閉する（図３参照）。これにより、使用者は、カバー７５を回動させて開けた状態で載置部７３に原稿をセッティングし、セット後にカバー７５を回動させて閉じた状態で画像の読取処理を実行することができ、原稿のセッティングが容易となる。
【００５７】
また、載置部７３は、プリンタ本体１５の上面に固定されている。トレイ排出部５１の各トレイ５５は、この固定された載置部７３の後方側の面に固定されている。このため、各トレイ５５は、載置部７３に固定されることよって、プリンタ１０の動作時に発生する振動等が抑制され安定化が図られる。
【００５８】
また、トレイ排出部５１は、各トレイ５５上に載置されたシート１３の高さを検出するためのスタックセンサ６５を備える。また、制御部９１は、トレイ排出部５１のスタックセンサ６５から出力される検出信号に基づいて、操作パネル８５の液晶表示部に各トレイ５５に溜まっているシート１３の状況を表示する。ここで、本実施形態のプリンタ１０では、前方側から見た場合に、トレイ排出部５１と画像読取部７１とが重なって、各トレイ５５に溜まったシート１３の状況が使用者にとって把握し難くなる虞がある。これに対し、トレイ５５に溜まったシート１３の状況を操作パネル８５に表示すれば、使用者は、操作パネル８５の表示を見て各トレイ５５の状況を把握できる。
【００５９】
また、トレイ５５の傾斜部６３は、先端側の部分に切り欠き部６９を備える。これにより、使用者が手でトレイ５５に溜まったシート１３を取り出す際に、切り欠き部６９に指を入れてシート１３の上下方向の両面を挟むことにより、シート１３を取り出し易くなる。
【００６０】
（第２実施形態）
次に、第２実施形態について図５を参照して説明する。上記第１実施形態では、載置部７３の載置面７７が、読取りヘッド７９に対してトレイ排出部５１とは反対側に設けられていたが、第２実施形態では、載置面７７が読取りヘッド７９に対してトレイ排出部５１側に設けられている場合について説明する。なお、以下の説明では、第１実施形態と同様の構成については、同一の符号を付し、その説明を適宜省略する。
【００６１】
図５に示すように、本実施形態のプリンタ１００の画像読取部１０１は、プリンタ本体１５の上部に対して固定された回動軸１０３を有する。回動軸１０３は、載置部７３の下端部に設けられ、左右方向に沿って挿通されている。回動軸１０３は、例えば、左右方向の中央部分がプリンタ本体１５の上部に固定されている。プリンタ１００は、載置面７７が上方に向かう状態（第１状態）で、画像読取部１０１を固定するロック機構（図示略）を備えている。また、画像読取部１０１は、ロック機構が解除されると、図５に示すように、載置部７３及びカバー７５が、回動軸１０３を中心に時計回り方向に９０度だけ回動可能に構成されている。画像読取部１０１は、９０度だけ回動すると、それ以上回転しないようにストッパ（図示略）により回転位置が保持される。このため、載置部７３は、第１状態から、載置面７７が前後方向及び左右方向に沿った水平な状態（第２状態）まで回動可能となっている。また、第２状態では、載置面７７は、読取りヘッド７９よりも上方の位置で保持される。第２状態では、カバー７５は、回動軸８３を中心に載置部７３に対して開閉する。
【００６２】
また、トレイ排出部５１の各トレイ５５は、上記した第１実施形態とは異なり、画像読取部１０１（カバー７５）には固定されていない。また、各トレイ５５は、第１状態では、傾斜部６３の前方側の先端部が、カバー７５の後方側（操作パネル８５が設けられている側）の面に当接した状態となり、位置が安定する構成となっている。なお、トレイ５５は、第１状態において、カバー７５と離間する構成でもよい。
【００６３】
また、本実施形態の載置部７３は、カバー７５と対向する面とは反対側の面に、画像形成部３５による印刷状態を表示する表示部１０５を有する。このため、画像読取部１０１は、第１状態において、トレイ排出部５１と対向する後面に操作パネル８５が配置され、トレイ排出部５１と対向する面とは反対側の前面に表示部１０５が配置される。制御部９１（図４参照）は、表示部１０５を制御して、例えば印刷処理の状態、スタックセンサ６５に基づく情報、紙詰まり発生時の紙詰まりの位置情報、トナーの補充を促す情報などを表示する。
【００６４】
従って、使用者は、画像読取部１０１を使用しない場合には、画像読取部１０１を第１状態とし、表示部１０５の表示を見て必要な情報を確認することができる。また、使用者は、画像読取部１０１を使用する場合には、画像読取部１０１を回動させ第２状態とし、カバー７５を上方に向かって開けて（図５参照）、載置面７７に原稿をセットする。そして、使用者は、カバー７５を閉じた後、操作パネル８５を操作して原稿の読取り設定や読取りの開始指示などを操作する。カバー７５を閉じた状態では、操作パネル８５は、上方を向いた状態となる。
【００６５】
また、プリンタ本体１５は、画像読取部１０１の回動状態に応じた検出信号を出力するセンサ１０９を有する。センサ１０９は、画像読取部１０１が第１状態又は第２状態のいずれの回転位置にあるのかに応じて異なる検出信号を制御部９１（図４参照）に出力する。センサ１０９は、例えば、第１状態においてＯＮされ、画像読取部１０１が第１状態から回動し回転角度が変更されるとＯＦＦされるスイッチである。制御部９１は、センサ１０９の検出信号に基づいて、画像読取部１０１が第１状態にあるときには、使用しない操作パネル８５の表示を消去する処理（抑制処理）を実行する。また、制御部９１は、センサ１０９の検出信号に基づいて、第１状態から第２状態へ移行したこと検出すると、操作パネル８５の表示を有効にする。なお、抑制処理の内容はこれに限定されない。例えば、制御部９１は、第１状態において、操作パネル８５に供給される電力を停止する抑制処理を実行してもよい。
【００６６】
因みに、スタックセンサ６５は、第２センサの一例である。表示部１０５は、表示部及び報知部の一例である。回動軸１０３は、固定部材の一例である。センサ１０９は、第１センサの一例である。
【００６７】
以上、上記した第２実施形態によれば、以下の効果を奏する。
画像読取部１０１は、載置部７３及びカバー７５が、回動軸１０３を中心に時計回り方向に９０度だけ回動可能に構成されている（図４参照）。また、載置部７３の載置面７７は、第２状態では、読取りヘッド７９よりも上方の位置で保持される。このような構成では、第１状態から第２状態に載置部７３を回動させることによって、トレイ排出部５１が障害とならずに原稿を載置部７３に載置し易くなり、原稿をセッティングする際の利便性が向上する。
【００６８】
また、載置面７７は、第２状態において、前後方向及び左右方向に沿った水平な状態、即ち、プリンタ１００を設置した設置面に対して平行な方向に沿った面となる。これにより、本実施形態のプリンタ１００では、水平な載置面７７に原稿を載置した状態（第２状態）において、画像読取部１０１による原稿の読み取り処理が実施でき、重力などによる原稿のずれが抑制され、精度良く画像を読み取ることが可能となる。
【００６９】
また、画像読取部１０１の載置部７３は、カバー７５と対向する面とは反対側の面に、画像形成部３５による印刷状態を表示する表示部１０５を有する。これにより、第１状態では、表示部１０５を設けた面は、前後方向からプリンタ１００を見た場合に、トレイ排出部５１によって隠れない面となる。このため、使用者は、表示部１０５に表示された内容を容易に確認でき、適切な対応（印刷状態の確認など）を行うことができる。
【００７０】
また、カバー７５は、第１状態において、トレイ排出部５１と対向する面に操作パネル８５を有する。そして、第２状態でカバー７５を閉じた状態では、操作パネル８５は、上方に向いた状態となる。このように、本実施形態のプリンタ１００では、第１状態及び第２状態の各状態に応じて、表示部１０５及び操作パネル８５を使い分けることができ、使用者に対する利便性を向上させることが可能となる。
【００７１】
また、プリンタ本体１５は、画像読取部１０１の回動状態に応じた検出信号を出力するセンサ１０９を有する。制御部９１は、センサ１０９の検出信号に基づいて、画像読取部１０１が第１状態にあるときには、使用しない操作パネル８５の表示を消去する処理（抑制処理）を実行する。これにより、当該プリンタ１００では、消費電力の抑制を図ることができる。
【００７２】
（第３実施形態）
次に、第３実施形態について図６及び図７を参照して説明する。上記第１実施形態と異なる点は、図６に示すプリンタ１２０では、プリンタ本体１５の上面に保持部１２１が設けられ、この保持部１２１によって画像読取部７１とプリンタ本体１５の間に隙間を設けた構成が異なる。なお、以下の説明では、第１実施形態と同様の構成については、同一の符号を付し、その説明を適宜省略する。
【００７３】
図６に示すように、保持部１２１は、プリンタ本体１５の上面に２つ設けられている。保持部１２１の各々は、直方体形状をなし、プリンタ本体１５の上面の前端部において、所定の間隔を間に設けて左右方向の両側の各々に固定されている。各保持部１２１の上面には、画像読取部７１が取り付けられている。従って、画像読取部７１は、保持部１２１の各々に保持されることによって、プリンタ本体１５の上面に対して離間した状態で設けられている。プリンタ本体１５の上部には、当該プリンタ本体１５の上面、一対の保持部１２１、及び画像読取部７１の下面で囲まれた隙間１２３が設けられている。そして、プリンタ１２０は、前方側から見た場合に、隙間１２３からプリンタ本体１５の上面に設けられた本体トレイ３８の一部が見える構成となっている。
【００７４】
また、プリンタ本体１５の上面には、一対の保持部１２１の左右方向の間に挟まれた位置に用紙ストッパ１２５が設けられている。用紙ストッパ１２５は、矩形板状に形成され、前方側の端部を中心に、後方側の端部が前方に向かうように回動し、前方側に起き上がった状態となる。この際に、用紙ストッパ１２５は、隙間１２３内を通りながら回動する。用紙ストッパ１２５は、回動して起き上がった状態では、本体トレイ３８から排出されたシート１３が前方側から落ちないように保持する。
【００７５】
また、図７に示すように、本実施形態においても、画像読取部７１は、上下方向において、トレイ排出部５１と同じ高さに設けられている。トレイ排出部５１が有する全てのトレイ５５の位置は、上下方向において、画像読取部７１の上下方向の両端部の間に収まる位置となっている。
【００７６】
ここで、プリンタ１２０では、複数のトレイ３８，５５を有しており、画像を印刷したシート１３を排出するトレイ３８，５５が選択可能となっている。一般的には、デフォルトで排出するトレイとして、プリンタ本体１５が備える本体トレイ３８が設定さていることが想定されるため、本体トレイ３８から印刷されたシート１３を取り出す機会が、他のトレイ５５に比べて増加することが予想される。このため、本実施形態のプリンタ１２０では、使用頻度が高いことが予想される本体トレイ３８に排出されたシート１３を、隙間１２３から取り出せる構成となっている。
【００７７】
以上、上記した第３実施形態によれば、以下の効果を奏する。
プリンタ本体１５の用紙搬送路３７は、後方側の上部において、本体トレイ３８に向かう搬送路と、用紙搬送路５７に向かう搬送路とに分岐している。また、画像読取部７１は、プリンタ本体１５の上面に固定された一対の保持部１２１によって、プリンタ本体１５の上面に対して離間した状態で設けられている。これにより、使用者は、プリンタ１２０の前方側から隙間１２３に手を入れて本体トレイ３８に載置されたシート１３を取り出すことが可能となる。
【００７８】
なお、本発明は、上記各実施形態に限定されるものではなく、当業者の知識に基づいて種々の変更、改良を施した種々の態様で実施することが可能である。
例えば、上記各実施形態におけるトレイ排出部５１と画像読取部７１との各方向における位置、向きは一例であり、適宜変更可能である。例えば、トレイ排出部５１が有する全てのトレイ５５の位置は、上下方向において、画像読取部７１の上下方向の両端部の間に収まる位置となっていたが、これに限定されない。例えば、複数のトレイ５５のうち少なくとも最下段（上下方向における最も下）のトレイ５５が、画像読取部７１の上下方向における上端部よりも下方に位置する構成であれば適宜変更可能である。
また、第１実施形態において、トレイ排出部５１が有する全てのトレイ５５の先端部を、載置部７３に対して固定したが、いずれか一つ、あるいは全てのトレイ５５を載置部７３に固定しない構成に変更してもよい。
【００７９】
また、トレイ５５の各々は、トレイ本体部５３の前面部分に設けられ、前後方向に延びる板状に形成されていたが、これに限定されない。例えば、図８に示すトレイ排出部１３１のように、各トレイ５５が上方に向かって配置される構成でもよい。図８に示すトレイ排出部１３１は、図３に示す状態のトレイ排出部５１を、前後方向に沿った直線で反転し、時計回り方向に向かって９０度回転させた構造となっている。
【００８０】
トレイ排出部１３１の用紙搬送路５７は、用紙搬送路３７に連通した部分に設けられた排出ローラ５８の位置から上方に向かう途中で前方側に向かって９０度だけ屈曲している。トレイ排出部１３１は、用紙搬送路５７の前方側に屈曲した部分よりも下流側の位置にも排出ローラ５８を有する。さらに、トレイ排出部１３１は、前後方向に並ぶ３つのトレイ５５の各々の排紙口の位置に合わせて排出ローラ１３５を有する。また、トレイ排出部１３１は、前後方向に延びるトレイ本体部５３の前方側の端面１３７の一部が、縦置きされた画像読取部７１（載置部７３）の後方側の面に対して固定されている。このような構成においても、画像読取部７１の設置面積を小さくしつつ、画像読取部７１及びトレイ排出部１３１の２つの装置の機能を利用する際の利便性を向上させることが可能となる。
【００８１】
また、上記第２実施形態において、カバー７５を固定し、載置部７３をカバー７５に対して開閉可能に構成してもよい。
また、上記各実施形態では、原稿の画像を読み取るための機構（読み取りヘッド７９及びキャリッジ８１）を載置部７３に設けたが、当該機構をカバー７５に設けた構成に変更してもよい。
また、本願における操作部は、操作パネル８５などのタッチパネルに限らず、操作用のスイッチなどを備える構成でもよい。
また、第１実施形態では、カバー７５は、下端部を中心に回動したが、上端部を中心に回動する構成でもよい。
また、カバー７５を回動させる機構は、回動軸８３などの棒状の部材に限らず、例えば、ヒンジでもよい。
また、第１実施形態において、トレイ排出部５１を、載置部７３に対して固定しない構成に変更してもよい。
また、各実施形態において、操作パネル８５を、画像読取部７１，１０１とは異なる部位、例えば、プリンタ本体１５の上面に取り付けてもよい。
また、第２実施形態において、表示部１０５に替えて、表示機能の他に入力機能を備える操作パネルを設けてもよい。
また、第２実施形態において、センサ１０９を設けない構成に変更してもよい。この場合、制御部９１は、抑制処理を実施しない設定とする。
また、第２実施形態において、操作パネル８５を、カバー７５に設けたが、これに限定されない。例えば、カバー７５によって隠れない載置部７３の周囲部分（左右方向あるいは上方の側面など）に操作パネル８５を設けてもよい。
また、各実施形態において、スタックセンサ６５を設けない構成でもよい。
また、各実施形態において、トレイ５５に切り欠き部６９を設けなくともよい。
【符号の説明】
【００８２】
１０，１００，１２０  プリンタ（画像形成装置）、１３  シート、３１  本体筐体（装置筐体）、３５  画像形成部、３７，５７  用紙搬送路（搬送経路）、３８  本体トレイ（排出部）、５５  トレイ、５１，１３１  トレイ排出部、６５  スタックセンサ（第２センサ）、７３  載置部、読み取り７９  ヘッド（発光素子）、７１，１０１  画像読取部、７７  載置面、７５  カバー、８１  キャリッジ、８５  操作パネル（操作部）、９１  制御部（制御装置）、１０３  回動軸（固定部材）、１０５  表示部、１０９  センサ（第１センサ）、１２１  保持部。
【図１】
2016071239.tif 000003
【図２】
2016071239.tif 000004
【図３】
2016071239.tif 000005
【図４】
2016071239.tif 000006
【図５】
2016071239.tif 000007
【図６】
2016071239.tif 000008
【図７】
2016071239.tif 000009
【図８】
2016071239.tif 000010